(57)【特許請求の範囲】
【請求項１】
極柱の外周部に一つのフランジを突出形成し、このフランジの表面にその周方向に沿って連続する環状の少なくとも一つの突条を突出形成し、このフランジを含む極柱の外周部に樹脂をモールドしてその外周部を覆ってなることを特徴とする鉛蓄電池用の薄型モールド端子。
【請求項２】
極柱には、モールドした樹脂の下面に隣接して配置する鍔が一体に形成されていることを特徴とする請求項１に記載の鉛蓄電池用の薄型モールド端子。
【発明の詳細な説明】
【０００１】
【発明の属する技術分野】
この発明は、例えば自動二輪車用シール形鉛蓄電池に用いる薄型モールド端子に関する。
【０００２】
【従来の技術】
従来のモールド端子の構造を図１７ないし図２０に示してあり、１が鉛製の極柱で、この極柱１は下端部に台座２を一体に有し、この台座２が極板群のストラップにバーナーの火炎で溶接されるものである。
【０００３】
極柱１のほぼ中間の外周部には、複数のフランジ３が一体に突出形成され、これらフランジ３を含めた極柱１の外周部に樹脂４がモールドされ、この樹脂４が電槽蓋に熱溶着により一体的に取り付けるものである。
【０００４】
電槽内の電解液は、極柱１の周面を伝わってその上部に滲み上がろうとするが、極柱１の中間の外周部が複数のフランジ３の突出により凹凸形状となっており、したがってこの凹凸形状に基づいて電解液の滲み上がりが防止される。
【０００５】
【発明が解決しようとする課題】
ところで、蓄電池を小型で高出力に構成するためには、電槽内に収容する極板をできるだけ大きくする必要がある。ところが、極板の高さ方向の寸法は、モールド端子における極柱１の高さにより制約される。
【０００６】
従来のモールド端子においては、電解液の滲み上がりを防止するために極柱１の中間の外周部に上下複数段にフランジ３を突出形成しており、このため極柱１の高さが高くなり、この分、極板の高さ方向の寸法を抑えなければならず、したがって極板を大型に構成することが困難で、蓄電池の小型高出力化を実現する上での障害となっている。
【０００７】
極柱１の高さを抑えるために、図１７に示す台座２と樹脂４との間の部分の間隔Ｌを小さくすることが考えられるが、しかしこの場合には樹脂４が台座２に接近して配置し、このため台座２を極板群のストラップにバーナーで溶接するときに、そのバーナーの火炎が樹脂４に接触して溶融してしまう恐れがある。
【０００８】
この発明はこのような点に着目してなされたもので、その目的とするところは、電解液の滲み上がりを確実に防止しつつ、極柱の高さを抑えて蓄電池の小型高出力化を実現することが可能な薄型モールド端子を提供することにある。
【０００９】
【課題を解決するための手段】
この発明はこのような目的を達成するために、極柱の外周部に一つのフランジを突出形成し、このフランジの表面にその周方向に沿って連続する環状の少なくとも一つの突条を突出形成し、このフランジを含む極柱の外周部に樹脂をモールドしてその外周部を覆うようにしたものである。
そして特に請求項２に記載の発明においては、モールドした樹脂の下面に隣接して配置するように、極柱の外周部に鍔を一体に形成してある。
【００１０】
【発明の実施の形態】
以下、この発明の実施の形態について図１ないし図１６を参照して説明する。
図１ないし図４には、この発明の第１の実施形態による薄型モールド端子の構造を示してあり、鉛製の極柱１１の下端部には台座１２が一体に形成され、また極柱１１のほぼ中間の外周部には、一つのフランジ１３が水平方向に一体に突出形成されている。
【００１１】
極柱１１は断面が円形で、またフランジ１３はその平面形状が正方形となっている。そしてフランジ１３の上側の表面には、その上方に突出する断面が矩形の突条１４が一体に形成されている。この突条１４はフランジ１３の周方向に沿って連続する矩形の環状をなしている。
【００１２】
フランジ１３が突出した部分における極柱１１の外周部には、樹脂１５がモールドされ、この樹脂１５によりフランジ１３の全体が覆われている。樹脂１５の平面形状は正方形であり、その上面には凹部１５ａが形成され、この凹部１５ａの底面中央部から極柱１１の上端部が端子部１１ａとしてその上方に突出している。
【００１３】
このような構成においては、極柱１１の外周部にフランジ１３が突出し、さらにフランジ１３の表面から突条１４が突出しているため、これらフランジ１３と突条１４とで極柱１１の外周部に複雑な凹凸形状の屈曲面がかたちづくられ、したがって一つのフランジ１３であっても電解液の極柱１１の上部までの滲み上がりを確実に防止することができる。
【００１４】
そして極柱１１にはフランジ１３が一つ形成されているだけであるから、従来のようにフランジを複数形成した構成に比べて、極柱１１の高さを短くすることができ、全体が薄型のモールド端子を構成することができる。
【００１５】
したがって、この薄型のモールド端子を用いて鉛蓄電池を製造する場合には、電槽内に収容する極板の高さの寸法を、極柱１１の高さの短縮分だけ大きくすることができ、これにより電池の容積当たりのエネルギー密度を上げて小型で高出力の鉛蓄電池とすることができる。
【００１６】
また、極板の高さの寸法を変えない場合には、極柱１１の高さの短縮分だけ電池の高さを低くすることができ、したがってこの場合にも電池の容積当たりのエネルギー密度が上がり、小型で高出力の鉛蓄電池とすることができる。
【００１７】
図５および図６には、この発明の第２の実施形態を示してあり、この実施形態においては、フランジ１３の上側の表面に環状をなす二つの突条１４ａ，１４ｂを並列して並ぶように設けてある。
【００１８】
この場合には、極柱１１の外周部に、より複雑な凹凸形状の屈曲面がかたちづくられ、したがって電解液の滲み上がりの防止性能がより一層向上する。
図７および図８には、この発明の第３の実施形態を示してあり、この実施形態においては、フランジ１３の上側の表面に二つの突条１４ａ，１４ｂを並列して並ぶように設け、これら突条１４ａ，１４ｂを同心的に配置する円環形状としたものである。
【００１９】
図９ないし図１２には、この発明の第４の実施形態を示してあり、この実施形態においては、フランジ１３の平面形状を長円形とし、このフランジ１３の上側の表面に二つの突条１４ａ，１４ｂを並列して並ぶように環状に形成し、かつこのフランジ１３を覆う樹脂１５の平面形状をフランジ１３の長手方向に沿う矩形状としたものである。
【００２０】
図１３ないし図１６には、この発明の第５の実施形態を示してあり、この実施形態においては、極柱１１の外周部に、フランジ１３を覆った樹脂１５の下面と隣接して配置する鍔１６を一体に突出形成したものである。この鍔１６は樹脂１５と同様にその平面形状が正方形をなし、この鍔１６により樹脂１５の下面の大部分の領域が覆われている。
【００２１】
この場合には、台座１２を極板群のストラップにバーナーで溶接するときに、そのバーナーの火炎と樹脂１５との間が前記鍔１６により遮蔽され、このためバーナーの火炎が樹脂１５に直接接触するような恐れがなく、したがって台座１２と樹脂１５との間隔を狭めることが可能となり、これにより極柱１１の高さをより一層短くすることができる。
【００２２】
なお、前記各実施形態においては、フランジの上側の表面に突条を形成するようにしたが、下側の表面に形成するような場合であっても、あるいは上側と下側との双方の表面にそれぞれ突条を形成するような場合であってもよい。
【００２３】
【発明の効果】
以上説明したようにこの発明によれば、極柱の外周部に一つのフランジを突出形成し、このフランジの表面にその周方向に沿って連続する環状の少なくとも一つの突条を突出形成し、このフランジを含む極柱の外周部に樹脂をモールドしてその外周部を覆うようにしたから、電解液の極柱の上部までの滲み上がりを確実に防止しつつ、極柱の高さを抑えて蓄電池の小型高出力化を実現することが可能となり、さらに請求項２に記載の発明においては、モールドした樹脂の下面に隣接して配置するように、極柱の外周部に鍔を一体に形成したから、極柱の台座を極板群のストラップにバーナーで溶接するときに、火炎と樹脂との間を前記鍔で遮蔽してバーナーの火炎と樹脂との接触を防止でき、したがって台座と樹脂との間隔を狭めることが可能となり、これにより極柱の高さをより一層短くすることができ、蓄電池の小型高出力化を実現する上でより有利となる。
【図面の簡単な説明】
【図１】この発明の第１の実施形態に係る薄型モールド端子の構造を示す一部破断の側面図。
【図２】同じく一部破断の正面図。
【図３】同じく平面図。
【図４】同じく下面図。
【図５】この発明の第２の実施形態に係る薄型モールド端子の構造を示す一部破断の側面図。
【図６】同じく平面図。
【図７】この発明の第３の実施形態に係る薄型モールド端子の構造を示す一部破断の側面図。
【図８】同じく平面図。
【図９】この発明の第４の実施形態に係る薄型モールド端子の構造を示す一部破断の側面図。
【図１０】同じく一部破断の正面図。
【図１１】同じく平面図。
【図１２】同じく下面図。
【図１３】この発明の第５の実施形態に係る薄型モールド端子の構造を示す一部破断の側面図。
【図１４】同じく一部破断の正面図。
【図１５】同じく平面図。
【図１６】同じく下面図。
【図１７】従来のモールド端子の構造を示す一部破断の側面図。
【図１８】同じく一部破断の正面図。
【図１９】同じく平面図。
【図２０】同じく下面図。
【符号の説明】
１１…極柱
１２…台座
１３…フランジ
１４，１４ａ，１４ｂ…突条
１５…樹脂
１６…鍔
【図１】
0004054408.tif 000002
【図２】
0004054408.tif 000003
【図３】
0004054408.tif 000004
【図４】
0004054408.tif 000005
【図５】
0004054408.tif 000006
【図６】
0004054408.tif 000007
【図７】
0004054408.tif 000008
【図８】
0004054408.tif 000009
【図９】
0004054408.tif 000010
【図１０】
0004054408.tif 000011
【図１１】
0004054408.tif 000012
【図１２】
0004054408.tif 000013
【図１３】
0004054408.tif 000014
【図１４】
0004054408.tif 000015
【図１５】
0004054408.tif 000016
【図１６】
0004054408.tif 000017
【図１７】
0004054408.tif 000018
【図１８】
0004054408.tif 000019
【図１９】
0004054408.tif 000020
【図２０】
0004054408.tif 000021